(57)【要約】本発明は、飲料水容器と、磁気攪拌器と、底板及び前記底板に取り付けられたスリーブを有する添加剤容器と、前記磁気攪拌器を回転させる攪拌駆動器と、を含んでなる飲料水処理装置に関する。前記添加剤容器の前記スリーブは内壁と外壁を含んでおり、前記内壁と前記外壁との間には鉱物質粒子が充填される。前記磁気攪拌器は基部及び前記基部から上方に突出されたＹ字状フィンを含んでいる。前記磁気攪拌器は、前記フィンと前記基部間に攪拌磁石棒を含む。前記基部は上面と下面を有する円盤状であり、前記基部の下面は凸状であり、前記基部の下面の一部に攪拌金属板が取り付けられる。前記底板に底面金属板が配設され、前記攪拌金属板が前記底面金属板に接触される。
2006507924.tif 000002
【特許請求の範囲】
【請求項１】
飲料水容器と、磁気攪拌器と、底板及び前記底板に取り付けられたスリーブを有する添加剤容器と、前記磁気攪拌器を回転させる攪拌駆動器を含んでおり、前記添加剤容器は前記飲料水容器の内部に位置し、前記スリーブは内壁と外壁を含み、前記内壁と前記外壁との間には鉱物質粒子が充填されており、前記内壁及び前記外壁には飲料水が流通可能な多数の穴が穿設されており、前記磁気攪拌器は基部及び前記基部から上方に突出されたフィンを含み、前記基部は前記底板の上に位置して前記攪拌駆動器により回転され、前記基部は上面と下面を有する円盤状であり、前記基部の下面は凸状であり、前記基部の下面の一部に攪拌金属板が取り付けられることを特徴とする飲料水処理装置。
【請求項２】
前記フィンはＹ字状であることを特徴とする請求項１記載の飲料水処理装置。
【請求項３】
前記磁気攪拌器は前記フィンと前記基部との間に永久磁石よりなる攪拌磁石棒をさらに含むことを特徴とする請求項２記載の飲料水処理装置。
【請求項４】
前記攪拌金属板が前記基部の下面を３分の２ほど覆うことを特徴とする請求項３記載の飲料水処理装置。
【請求項５】
前記底板に底面金属板が配設されるが、前記攪拌金属板が前記底面金属板に接触されることを特徴とする請求項３記載の飲料水処理装置。
【請求項６】
前記攪拌駆動器は、駆動磁石と、前記駆動磁石を回転させる電動機をさらに含むことを特徴とする請求項３記載の飲料水処理装置。
【請求項７】
前記駆動磁石は２つであり、回転軸を中心として互いに対向する位置に配設されることを特徴とする請求項６記載の飲料水処理装置。
【請求項８】
前記駆動磁石と前記攪拌磁石棒は、前記駆動磁石のうちどちらか一方はＮ極が前記攪拌磁石棒のＳ極と対面し、前記駆動磁石のうち残りの一方はＳ極が前記攪拌磁石棒のＮ極と対面すべく配列されることを特徴とする請求項７記載の飲料水処理装置。
【請求項９】
前記攪拌磁石棒は約５，５００ガウスの磁力を有し、前記駆動磁石はそれぞれ約３，５００ガウスの磁力を有することを特徴とする請求項７記載の飲料水処理装置。
【請求項１０】
前記鉱物質粒子はサンゴカルシウムと鉱物質石材を含むことを特徴とする請求項８記載の飲料水処理装置。
【請求項１１】
前記添加剤容器の前記内壁は円形であり、前記外壁は８角形であることを特徴とする請求項８記載の飲料水処理装置。
【請求項１２】
前記添加剤容器は前記内壁と前記外壁との間に充填される竹の炭粒子をさらに含むことを特徴とする請求項８記載の飲料水処理装置。
【請求項１３】
表示板と、音声信号発生器と、をさらに含むことを特徴とする請求項８記載の飲料水処理装置。
【請求項１４】
前記表示板は、前記添加剤容器の交換時期を表示することを特徴とする請求項１３記載の飲料水処理装置。
【請求項１５】
前記音声信号発生器は、前記添加剤容器の交換時期に対して可聴警報信号を生じさせることを特徴とする請求項１４記載の飲料水処理装置。
【請求項１６】
前記磁気攪拌器の前記フィンは永久磁石であることを特徴とする請求項２記載の飲料水処理装置。
【請求項１７】
前記磁気攪拌器の前記基部は上面と下面を有する円盤状であり、前記基部の下面は凸状であり、前記基部の下面の一部に攪拌金属板が取り付けられることを特徴とする請求項１６記載の飲料水処理装置。
【請求項１８】
前記底板に底面金属板が配設されるが、前記攪拌金属板が前記底面金属板に接触されることを特徴とする請求項１７記載の飲料水処理装置。
【請求項１９】
前記攪拌駆動器は回転軸を中心として互いに対向する位置に配設される２つの駆動磁石を含むことを特徴とする請求項１８記載の飲料水処理装置。
【請求項２０】
表示板と、音声信号発生器と、をさらに含むことを特徴とする請求項１９記載の飲料水処理装置。
【発明の詳細な説明】
【技術分野】
【０００１】
本発明は、飲料水処理装置に係り、特に、磁石を用いて飲料水を攪拌させ、鉱物質を含む多孔性部材に飲料水を通させることにより飲料水を磁化して鉱物質を添加する飲料水処理装置に関する。
【背景技術】
【０００２】
飲料水を磁化したり飲料水に鉱物質を加える飲料水処理装置に関する多数の従来の技術が存在する。
米国特許第５，８１６，０５８号公報（発明者“Ｌｅｅ”ら）には、飲料水を磁化させる処理装置が開示されている。飲料水容器及び飲料水容器の内部に取り付けられた回転磁石との隣接磁石により、飲料水を磁化させるための磁場が形成される。
米国特許第５，６２８，９００号公報（発明者“Ｎａｉｔｏ”）には、セラミック粒子、磁石片及びリング状の磁石が挟まれた飲料水フィルタが開示されている。
米国特許第５，０５９，２９６号公報（発明者“Ｓｈｅｒｍａｎ”）には、金属イオンを飲料水に放出させる太陽熱駆動式飲料水精製機が開示されている。
米国特許第４，９０４，３８１号公報（発明者ＣＵｒａｋａｍｉ“）には、液体通路に整列された球状の回転体が取り付けられた処理装置が開示されている。前記回転体の内部には、所定の通路に挟まれた磁石が配設されている。
米国特許第４，５４０，４８９号公報（発明者“Ｕｒａｋａｍｉ“）には、予備フィルタ、活性炭素フィルタ及びセラミックマイクロスクリーン付き３層フィルタが開示されている。
米国特許第６，１２０，６６８号公報（発明者“Ｋｉｍ“）には、飲料水流路に沿って連続して位置する２つのケースにより磁化の方向を垂直及び水平方向に振り分ける六角飲料水製造用処理装置が開示されている。
米国特許第６，１７１，４９０号公報（発明者“Ｋｉｍ“）には、飲料水を磁化させ、該磁化された飲料水にセラミック成分が加えられる飲料水精製機が開示されている。前記精製機には回転永久磁石及びセラミックフィルタが配設されている。
【発明の開示】
【０００３】
本発明は、飲料水処理装置の高効率化を図るために講じられたものであって、その目的は、飲料水をより効率よく攪拌させて飲料水の磁化及び鉱物質の添加効果を高めることにより、飲料水処理装置の効率性の改善を図ることにある。
本発明の他の目的は、回転磁石が一層強力に駆動できる飲料水処理装置を提供することにある。
本発明のさらに他の目的は、耐久性に優れた回転磁石を有する飲料水処理装置を提供することにある。
上記目的を達成するために、本発明は、飲料水容器(water jar)と、磁気攪拌器(magnetic agitator)と、底板(bottom plate)及び前記底板に取り付けられたスリーブ(sleeve)を有する添加剤容器(additive container)と、前記磁気攪拌器を回転させる攪拌駆動器(agitator driver)を含んでいる。前記添加剤容器は前記飲料水容器の内部に位置し、前記磁気攪拌器は前記添加剤容器の内部に位置する。前記添加剤容器の前記スリーブは内壁と外壁を含んでいる。前記添加剤容器の前記内壁は円形であり、前記外壁は８角形を呈する。前記添加剤容器は、前記内壁と前記外壁との間に充填される鉱物質粒子(mineral particles)と竹の炭粒子(bamboo charcoal particles)をさらに含む。前記鉱物質粒子は、サンゴカルシウム(coral calcium)と鉱物質石材(mineral stone)を含む。前記内壁及び前記外壁には飲料水が流通可能な多数の穴が穿設されている。前記磁気攪拌器は、円盤状の基部(base)及び前記基部から上方に突出されたフィン(fin)を含んでなる。前記フィンはＹ字状であり、前記基部は前記底板の上に位置し、前記磁気攪拌器は前記攪拌駆動器により回転される。
前記磁気攪拌器は、前記フィンと前記基部との間に永久磁石よりなる攪拌磁気棒(agitator magnetic bar)をさらに含む。
前記磁気攪拌器の前記基部は上面と下面を有する円盤状であり、下面は凸状を呈している。前記基部の下面の一部に攪拌金属板(agitator metal plate)が取り付けられる。好ましくは、前記攪拌金属板は前記基部の下面の３分の２ほどを覆う。
前記底板には底面金属板(bottom metal plate)が配設され、前記攪拌金属板は前記底面金属板に接触される。
前記攪拌駆動器は２つの駆動磁石(driver magnet)と駆動磁石を回転させる電動機を含み、前記駆動磁石は回転軸を中心として互いに対向する位置に配設される。
前記駆動磁石と前記攪拌磁石棒は、前記駆動磁石のうちどちらか一方はＮ極が前記攪拌磁石棒のＳ極と対面し、前記駆動磁石のうち残りの一方はＳ極が前記攪拌磁石棒のＮ極と対面すべく配列される。
好ましくは、前記攪拌磁石棒は約５，５００ガウスの磁力を有し、前記駆動磁石はそれぞれ約３，５００ガウスの磁力を有する。
本発明に係る飲料水処理装置は表示板(display)と音声信号発生器(sound signal generator)をさらに含む。前記表示板は前記添加剤容器の交換時期を表示し、前記音声信号発生器は前記添加剤容器の交換時期に対して可聴警報信号を生じさせる。
本発明の他の具体的な実施例として、前記攪拌磁気棒を別に配設することなく、前記磁気攪拌器の前記フィンそのものを永久磁石にしても良い。
本発明は、（ｉ）磁化及び鉱物質の添加効果を高めるための強力な乱流を引き起こすことができ、（ｉｉ）耐久性に優れた磁気攪拌器が実現できると共に、（ｉｉｉ）磁気攪拌器を回転させる一層効率良い駆動メカニズムが実現できるなど、各種のメリットがある。
以上、本発明を概略的に説明したが、本発明の内容は、図面と実施例及び請求の範囲により一層明らかになる。
【図面の簡単な説明】
【０００４】
図１は、本発明の第１の実施例に係る飲料水処理装置の斜視図である。
図２は、同飲料水処理装置の平面図である。
図３は、図２の３−３線断面図である。
図４は、添加剤容器の立面図である。
図５は、添加剤容器の平面図である。
図６は、図５の６−６線断面図である。
図７は、磁気攪拌器の立面図である。
図８は、磁気攪拌器の平面図である。
図９は、磁気攪拌器の底面図である。
図１０は、攪拌駆動器が磁気攪拌器を回転させる様子を示す概略図である。
図１１は、表示板の立面図である。
図１２は、表示板が交換時期を表示することを示す図である。
図１３は、他の磁気攪拌器の平面図である。
【発明を実施するための最良の形態】
【０００５】
以下、添付した図面に基づき、本発明に係る好適な実施例について詳細に説明する。
図１及び図２は、本発明に係る飲料水処理装置１０を示している。飲料水処理装置１０には、飲料水容器１２、磁気攪拌器１４、添加剤容器１６、及び飲料水容器１２を支える受け台１８が配備されている。
図３は、攪拌駆動器２０が磁気攪拌器１４を回転させる様子を示している。攪拌駆動器２０は、受け台１８の内部に装着されている。添加剤容器１６は飲料水容器１２の内部に位置し、磁気攪拌器１４は添加剤容器１６の内部に位置する。添加剤容器１６には底板２２と底板２２に取り付けられているスリーブ２４が配備されている。詳しくは、添加剤容器１６は飲料水容器１２の底面に載置され、磁気攪拌器１４は添加剤容器１６の底板２２に載置されている。
図４〜図６は、添加剤容器１６を示している。添加剤容器１６のスリーブ２４には外壁２６と内壁２８が配備され、鉱物質粒子３０が内壁２８と外壁２６との間に充填されている。内壁２８と外壁２６は飲料水が穴３２に通されるべく多数の穴３２を有する。鉱物質粒子３０はサンゴカルシウム(coral calcium)と鉱物質石材(mineral stone)を含む。さらに、竹の炭粒子３４が鉱物質粒子３０と混合された状態で内壁２８と外壁２６との間に充填されている。内壁２８は円形であり、外壁２６は８角形である。
磁気攪拌器１４の回転は磁気攪拌器１４の回りに流れる飲料水を磁化させ、磁気攪拌器１４と添加剤容器１６の内壁２８との間の空間における乱流(Turbulence)を誘導する。水は、乱流により内壁２８の穴３２、鉱物質粒子３０と竹の炭粒子３４の回り、そして外壁２６の穴３２の外側に流れる。鉱物質粒子３０から鉱物質が水に溶解され、竹の炭粒子３４は流水中の水を浄化させる。かかる磁化及び鉱物質などの添加作用などにより飲料水が身体に良い各種の効果を発現することになる。
図７〜図９は、磁気攪拌器１４を示している。磁気攪拌器１４は、基部３６と基部３６から上方に突出されたフィン３８及びフィン３８と基部３６との間に挟まれる攪拌磁気棒４０を含む。攪拌磁気棒４０は約５，５００ガウスの磁力を有する永久磁石であり、フィン３８はＹ字状または馬蹄形(horsechoe)である。このようなフィン３８の形状は一層強力な乱流を引き起こすことにより、磁化及び鉱物質の添加効果を高める。
磁気攪拌器１４の基部３６は添加剤容器１６の底板２２の上に位置し、攪拌駆動器２０により回転され、上面４２と下面４４を有する円盤状であり、下面４４は凸状である。攪拌金属板４６は下面４４に取り付けられて下面の一部（約２／３）を覆う。
さらに図５及び図６を参照すれば、添加剤容器１６の底板２２は、そこに取り付けられた底面金属板４８を有する。
図１０は、攪拌駆動器２０が磁気攪拌器１４を回転させる動作原理を示している。攪拌金属板４６は底面金属板４８と接触し、攪拌金属板４６と底面金属板４８は磁気攪拌器１４の回転作用により生じうる摩耗を防ぐために必要な強度を保持している。攪拌金属板４６と底面金属板４８はステンレス鋼製である。攪拌金属板４６は磁気攪拌器１４の凸状の下面４４に合わせてプレス加工される。
攪拌駆動器２０は、回転板５１に固定される２つの駆動磁石５０と回転軸Ｒの回りに駆動磁石５０（図３参照）を回転させる電動機５２を有し、それぞれの駆動磁石５０は約３，５００ガウスの磁力を有する。駆動磁石５０は回転軸Ｒを中心として互いに対向する位置に配設される。
駆動磁石５０と攪拌磁気棒４０は、２つの駆動磁石５０のうちどちらか一方はＮ極が攪拌磁気棒４０のＳ極と対面し、残りの一方はＳ極が攪拌磁気棒４０のＮ極と対面すべく整列され、駆動磁石５０が電動機５２により回転されるとき、駆動磁石５０と攪拌磁気棒４０との間で働く磁場により攪拌磁気棒４０が駆動磁石５０の回転に従動され、その結果、全体として磁気攪拌器１４が回転される。
図１１及び図１２は、飲料水処理装置用表示板５４を示している。表示板５４は２桁数のＬＥＤ５６と多数の円形ＬＥＤ５８を含んで添加剤容器１６の交換時期を表示する。飲料水が添加剤容器１６に通される間に鉱物質が飲料水に溶解されるため、添加剤容器１６は周期的に取り替える必要がある。表示板５４は、６ヶ月ごとに２桁数のＬＥＤ５６により“容器の取り替え(change cube)”を意味する“ＣＣ”を表示すべくプログラムされている。円形ＬＥＤ５８は磁気攪拌器１４の回転中に所定の点滅を行うべくプログラムされている。
さらに図３を参照すれば、音声信号発生器６０が受け台１８の内部に配備されて添加剤容器１６の交換時期を可聴警報信号として知らせる。さらに、音声信号発生器６０は、磁気攪拌器１４の回転中に軽快音を鳴らす。
図１３は、前記磁気攪拌器１４とは異なる磁気攪拌器６２を示している。これを参照すれば、永久磁石よりなる磁気攪拌器６２は、基部３６の上方に突出されているフィン６４を含む。
【産業上の利用可能性】
【０００６】
上述した構成によれば、本発明に係る飲料水処理装置は、飲料水の磁化及び鉱物質の添加効果を高められる。また、磁気攪拌器に上方に突出されたＹ字状フィンが設けられているため、飲料水に強い回転力を働かせて強力な乱流を引き起こす。併せて、磁気攪拌器に攪拌金属板が配設されているため、磁気攪拌器の耐久性の確保が図れる。
以上、本発明の好適な実施例について説明したが、本発明の範囲は前記実施例になんら制限されるものではない。また、本発明が属する分野における当業者であれば、本発明の要旨を逸脱しない範囲内で前記実施例の各種の修正及び／または変形が可能であることは理解でき、このような修正及び／または変形が本発明の権利範囲に含まれるということは明らかである。
【図１】
2006507924.tif 000003
【図２】
2006507924.tif 000004
【図３】
2006507924.tif 000005
【図４】
2006507924.tif 000006
【図５】
2006507924.tif 000007
【図６】
2006507924.tif 000008
【図７】
2006507924.tif 000009
【図８】
2006507924.tif 000010
【図９】
2006507924.tif 000011
【図１０】
2006507924.tif 000012
【図１１】
2006507924.tif 000013
【図１２】
2006507924.tif 000014
【図１３】
2006507924.tif 000015
【国際調査報告】
2006507924.tif 000016
2006507924.tif 000017